(57)【特許請求の範囲】
【請求項１】
回転電機のステータであって、
ステータコアに装着された複数の部分コイルと、
部分コイルのコイル導線同士を接続してコイル群を形成する複数のバスバーとを備え、
複数のバスバーは絶縁部材により一体化されてバスバーモジュール本体を形成し、このバスバーモジュール本体の背中合わせの二つの側面からバスバーの端部が延出し、またバスバーモジュール本体は回転電機の回転軸線方向においてコイル群に隣接して配置され、
コイル導線は、その端部に、前記回転軸線方向に延びるコイル導線端延部を有し、
バスバーは、バスバーモジュール本体から延出する端部に、前記回転軸線方向に延びるバスバー端延部を有し、
接続されるコイル導線端延部とバスバー端延部は隣接配置され、コイル導線端延部とバスバー端延部の各々の端同士が接続され、
さらに、バスバーモジュール本体と部分コイルとの間に隙間が形成された状態でバスバーモジュール本体をステータに支持する支持部を備え、前記支持部は前記コイル群のコイルエンド部において前記ステータコアの径方向に隣接するコイル導線間に挿入および把持されて支持される、
回転電機のステータ。
【請求項２】
請求項１に記載の回転電機のステータにおいて、
前記支持部は、部分コイルを構成するコイル導線の一部であって部分コイルの前記回転軸線方向の端部において径方向内側から延出して径方向外側へと渡る渡り導線部と、バスバーモジュール本体との間に隙間が形成されるようにバスバーモジュール本体を支持する、回転電機のステータ。
【請求項３】
請求項１または２に記載の回転電機のステータにおいて、
前記バスバーモジュール本体は、バスバーモジュール本体の側面から延出するバスバー端延部を除いてバスバーの周囲を被覆する絶縁部材と一体に形成されている、回転電機のステータ。
【請求項４】
請求項１または２に記載の回転電機のステータにおいて、
コイル導線端延部とバスバー端延部の端同士の接続部を前記回転軸線方向の外側で覆う絶縁性のモジュールカバーをさらに備え、前記支持部はモジュールカバーの一部として一体に形成されている、回転電機のステータ。
【請求項５】
請求項１〜４のいずれか一項に記載の回転電機のステータにおいて、
前記コイル群は複数相のコイル群を含み、前記支持部は異なる相のコイル群に含まれる部分コイルをそれぞれ構成するコイル導線間に挿入および把持されて支持される、回転電機のステータ。
【請求項６】
請求項５に記載の回転電機のステータにおいて、
前記支持部の前記回転軸線方向の端部は、ステータコアの前記回転軸線方向の端面に当接して位置決めされる、回転電機のステータ。
【発明の詳細な説明】
【技術分野】
【０００１】
本発明は、回転電機のステータに関し、特にそのコイル導線の接続に係る部分の構造に関する。
【背景技術】
【０００２】
電気エネルギを回転の運動エネルギに変換する電動機、回転の運動エネルギを電気エネルギに変換する発電機、さらに電動機と発電機どちらにも機能する電気機器が知られている。以下において、これらの電気機器を回転電機と記す。
【０００３】
回転電機は、同軸に配置されて相対的に回転する二つの部材を有する。通常は、一方が固定され、他方が回転する。固定された部材（ステータ）にコイルを配置し、このコイルに電力を供給することにより回転する磁界を形成する。この磁界との相互作用により他方の部材（ロータ）が回転する。ステータに配置されるコイルは、例えば複数の部分コイルをステータに装着し、その後、この部分コイル同士を接続して形成される。接続される前の個々のコイルと、接続後のコイル全体を区別するために、以下、前者を部分コイル、後者をコイル群と記す。
【０００４】
例えば特開２００８−３０１５６１号公報（以下、特許文献１と記す）には、回転電機の製造コストを低減するとともに大量生産に対応することも可能にすることを課題とした回転電機用端末モジュールが記載されている。この端末モジュールは、周方向に延びる溝を有するリング状のレールと、溝に嵌め合わされるバスバーと、バスバーと外部配線とを接続するコネクタ端子を有するコネクタ部とを備え、レールが、レールの軸方向まわりの回転の位相決め用の位相決め穴を有している。
【先行技術文献】
【特許文献】
【０００５】
【特許文献１】特開２００８−３０１５６１号公報
【発明の概要】
【発明が解決しようとする課題】
【０００６】
上記特許文献１に記載の端末モジュールをステータに装着されたコイルに溶接して接続する際、端末モジュールがステータのコイルに接触しているとコイル導線部同士が動いて擦れ合うことにより、コイル導線の絶縁皮膜が損傷することがある。
【０００７】
本発明の目的は、バスバーモジュールをステータのコイルに溶接する際のコイル導線の絶縁皮膜の損傷を防止することである。
【課題を解決するための手段】
【０００８】
本発明の回転電機のステータは、ステータコアに装着された複数の部分コイルと、部分コイルのコイル導線同士を接続してコイル群を形成する複数のバスバーとを備え、複数のバスバーは絶縁部材により一体化されてバスバーモジュール本体を形成し、このバスバーモジュール本体の背中合わせの二つの側面からバスバーの端部が延出し、またバスバーモジュール本体は回転電機の回転軸線方向においてコイル群に隣接して配置され、コイル導線は、その端部に、前記回転軸線方向に延びるコイル導線端延部を有し、バスバーは、バスバーモジュール本体から延出する端部に、前記回転軸線方向に延びるバスバー端延部を有し、接続されるコイル導線端延部とバスバー端延部は隣接配置され、コイル導線端延部とバスバー端延部の各々の端同士が接続され、さらに、バスバーモジュール本体と部分コイルとの間に隙間が形成された状態でバスバーモジュール本体をステータに支持する支持部を備え、前記支持部は前記コイル群のコイルエンド部において前記ステータコアの径方向に隣接するコイル導線間に挿入および把持されて支持される。
【０００９】
本発明に係る回転電機のステータにおいて、前記支持部は、部分コイルを構成するコイル導線の一部であって部分コイルの前記回転軸線方向の端部において径方向内側から延出して径方向外側へと渡る渡り導線部と、バスバーモジュール本体との間に隙間が形成されるようにバスバーモジュール本体を支持してもよい。
【００１０】
また、本発明に係る回転電機のステータにおいて、前記バスバーモジュール本体は、バスバーモジュール本体の側面から延出するバスバー端延部を除いてバスバーの周囲を被覆する絶縁部材と一体に形成されていてもよい。
【００１１】
また、本発明に係る回転電機のステータにおいて、コイル導線端延部とバスバー端延部の端同士の接続部を前記回転軸線方向の外側で覆う絶縁性のモジュールカバーをさらに備え、前記支持部はモジュールカバーの一部として一体に形成されていてもよい。
【００１２】
また、本発明に係る回転電機のステータにおいて、前記コイル群は複数相のコイル群を含み、前記支持部は異なる相のコイル群に含まれる部分コイルをそれぞれ構成するコイル導線間に挿入および把持されて支持されてもよい。
【００１３】
さらに、本発明に係る回転電機のステータにおいて、前記支持部の前記回転軸線方向の端部は、ステータコアの前記回転軸線方向の端面に当接して位置決めされてもよい。
【発明の効果】
【００１４】
本発明によれば、バスバーモジュール本体が支持部によって部分コイルとの間に隙間が形成された状態、すなわち部分コイルに非接触状態で支持されるため、コイル導線端延部とバスバー端延部の端同士とを溶接するときにバスバーモジュール本体が押しつけられても部分コイルまたはコイル群をなすコイル導線と接触することがなく、その結果、コイル導線同士が擦れ合ってコイル導線の絶縁被膜が損傷するのを防止できる。
【００１５】
また、冷却油等の冷却流体を用いてコイルを冷却する場合、バスバーモジュール本体と部分コイルと間の隙間に通して冷却流体を流すことができるので、コイル群に対する冷却性能の低下を抑制することができる。
【図面の簡単な説明】
【００１６】
【図１】回転電機のステータを示す斜視図である。
【図２】バスバーモジュールがステータに装着された状態を示す図である。
【図３】バスバーモジュールを単体で示す斜視図である。
【図４】バスバーモジュールの、図３のＡ−Ａ線における断面図である。
【図５】バスバーを収める区画を説明するための図である。
【図６】バスバーの形状およびバスバーモジュール内での配置を示す図である。
【図７】バスバーモジュールがコイルに支持された状態の一態様を示す図である。
【図８】バスバーモジュールとコイルの渡り導線部との間に隙間が形成されている様子を示す図である。
【図９】モジュールカバーを示す斜視図である。
【図１０】モジュールカバーに一体形成された支持部によってバスバーモジュールが支持された状態を示す図である。
【発明を実施するための形態】
【００１７】
以下に、本発明に係る実施の形態（以下、実施形態という）について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１８】
図１は、回転電機のステータ１０の外観を示す斜視図である。ステータ１０は、概形が円環または円筒状のステータコア１２を有し、ステータコア１２の内周には、磁極となるティース１４が周方向に配列されている。ティース１４にコイル導線１６が巻かれるようにしてステータコアにコイル群１８が装着されている。この実施形態では、所定の形状に成形された複数のコイル導線１６を、ティース１４の間の空間であるスロット内に挿入し、コイル導線１６同士を溶接して、所定数の部分コイルを形成している。そして、部分コイルのコイル導線１６の端を後述するバスバーを介して接続してコイル群１８が形成される。
【００１９】
ステータ１０は、円環または円筒状のステータコア１２にコイル群１８が装着された状態でも円環または円筒形状を有している。以下、ステータ等の形状について、円環および円筒を簡単のために円環と記す。円環形状のステータ１０の内側に、ロータ（不図示）が配置される。コイル群１８に電力を供給することにより、ステータ１０の円環の内側の空間に回転磁界が形成され、この磁界との相互作用によりロータが回転する。このロータの回転の軸線が、回転電機の回転軸線であり、この軸線はステータ１０の円環の中心軸線と一致する。以降の説明において、この回転電機の回転軸線、すなわちステータ１０の円環の中心軸線の延びる方向を回転軸線方向と記す。
【００２０】
図１に示すようにコイル導線の端が、コイル群１８から図１中で上方、つまり回転軸線方向に突出している。このコイル群１８から延びるコイル導線の端部をコイル導線端延部２０と記す。ステータ１０においては、Ｕ相、Ｖ相、Ｗ相の相ごとに部分コイルが２組設けられ、それぞれの部分コイルの端であるコイル導線端延部２０が計１２本となっている。コイル導線端延部２０は、相ごとに、また中性点側の端同士が電気的に接続される。また、Ｕ相、Ｖ相、Ｗ相のそれぞれのコイル導線端延部２０の１本ずつに、三相交流電力を供給するための動力線２２が接続されている。動力線２２は、回転電機で発電をした場合、この発電された電力を外部に送出する機能も有する。
【００２１】
図２および図３は、相ごとにコイル導線１６同士を接続するための複数のバスバーを一体化したバスバーモジュール２６を示す図である。図２はステータ１０に装着された状態を示す図、図３はバスバーモジュール２６の単体の状態を示す概略図である。
【００２２】
バスバーモジュール２６は、回転軸線方向において、ステータ１０の側部、特にコイル群１８に隣接して配置される。バスバーモジュール２６は、ステータ１０の円環形状に沿って円弧形状に延びるバスバーモジュール本体２８と、この本体２８から突出し、コイル導線端延部２０と接続される端子３０を有する。バスバーモジュール本体２８内には、この本体２８の円弧に沿って延びる複数のバスバーが配置されており、このバスバーの端部がバスバーモジュール本体２８から突出して端子３０を形成している。この端子３０をバスバー端延部３０と記す。バスバー端延部３０は、バスバーモジュール本体２８の側面、つまりバスバーモジュール本体２８の長手方向に対し、交差する方向を向く面より突出する。ステータ１０においては、背中合わせの側面、特にバスバーモジュール本体２８の円弧形状の外周側の側面と内周側の側面とに突出する。
【００２３】
さらに、動力線２２と溶接等により接続される接続板３２を保持する保持部３４がバスバーモジュール本体２８から突出して設けられている（図３参照）。接続板３２は、相数と同じく３個が設けられている。バスバーモジュール本体２８の径方向の寸法、すなわち幅は、コイル群１８の径方向の幅以下であり、保持部３４を含むバスバーモジュール２６全体の幅もステータコア１２の幅の中に収まっている。
【００２４】
ステータ１０のコイル群１８は、相ごとに二つの部分コイルをバスバーで接続して形成される。二つの部分コイルの各々のコイル導線の一方の端がバスバーと接続され、一方の部分コイルの残りのコイル導線の端が中性点に、他方の部分コイルの残りのコイル導線の端が動力線に接続される。
【００２５】
図３を用いてより具体的に説明する。バスバー端延部３０は、Ｕ相のコイル導線に接続されるものが符号３０Ｕ１，３０Ｕ２、Ｖ相のコイル導線に接続されるものが符号３０Ｖ１，３０Ｖ２、Ｗ相のコイル導線に接続されるものが符号３０Ｗ１，３０Ｗ２、各相のコイル導線の中性点側の端に接続される端子が符号３０Ｎ１，３０Ｎ２，３０Ｎ３で示されている。Ｕ相の二つの部分コイルの一方は、この部分コイルのコイル導線の一端がバスバー端延部３０Ｕ１に接続され、他端が中性点側のバスバー端延部３０Ｎ１に接続される。もう一つの部分コイルのコイル導線の一端がバスバー端延部３０Ｕ２に接続され、他端が接続板３２に接続される。Ｖ相、Ｗ相についても同様である。
【００２６】
バスバーモジュール本体２８の外周側には、接続板３２を保持する保持部３４が設けられている。接続板３２に、コイル導線１６のひとつの端が接続される。接続板３２は、例えば、略Ｊ字形であって、Ｊ字の短い方の辺の部分を周方向外側に向けて保持されている。この短辺に動力線２２が接続され、長辺には、各相のコイル導線１６の残りの端が接続される。
【００２７】
図４は、Ｕ，Ｖ，Ｗ相と、中性点とに対応する４本のバスバー３６が並行して配置される位置におけるバスバーモジュール２６の断面図、例えば図３のＡ−Ａ線で示す断面図である。４本のバスバー３６は、上下に２層、左右に２列の２×２の配置で配列されている。なお、図４（図５も同様）おいては、上下方向を回転電機の回転軸線方向とし、ステータに近い側を下、遠い側を上として説明する。また、左右方向は、回転軸線に直交する方向、すなわち回転電機の径方向とし、左を回転電機における内側、右を外側として説明する。ただし、これらの方向については、説明の便宜上導入したものであり、実際の装置の配置における方向および向きとは関連しない。また、４本のバスバー３６を区別する必要がある場合、Ｕ，Ｖ，Ｗ相，中性点のバスバーにそれぞれ３６Ｕ，３６Ｖ，３６Ｗ，３６Ｎの符号を付して説明する。
【００２８】
図４に示されるように、Ｕ相バスバー３６Ｕが下層左列に、Ｖ相バスバー３６Ｖが上層右列に、Ｗ相バスバー３６Ｗが上層左列に、中性点のバスバー３６Ｎが下層右列に配置される。さらに、２×２の配置の４つの領域のそれぞれを区画３８と記して説明する。そして、図５に示すように、４つの区画について、上層左列を区画３８−１、上層右列を区画３８−２、下層左列を区画３８−３、下層左列を区画３８−４と記す。
【００２９】
バスバーモジュール２６は、バスバー３６同士を絶縁し、かつバスバー端延部３０を除いてバスバー３６の周囲を覆って外部と絶縁するために絶縁部材４０を含む。絶縁部材４０は、例えば樹脂成形品であり、モールド成形によりバスバー３６Ｕ，３６Ｖ，３６Ｗ，３６Ｎを一体化している。図においては、絶縁部材４０は一体に示されているが、成形の都合により二つまたはそれ以上の部分に分割されてもよい。例えば、絶縁部材４０の「田」の字形の中央の十字の部分を先ず成形し、この十字型の部品に対しバスバーを配置して、これらをさらに樹脂モールドするようにしてもよい。
【００３０】
また、図４に示すように、バスバーモジュール２６は、バスバーモジュール本体２８の下側角部、すなわち、ステータコア１２に近い側の両側角部に支持部５０をそれぞれ有している。支持部５０は、バスバーモジュール２６がステータ１０に取り付けられたとき、バスバーモジュール本体２８と部分コイル（すなわちコイル群１８）のコイル導線１６との間に隙間が形成された状態でバスバーモジュール本体２８を支持する機能を有する。
【００３１】
支持部５０は、樹脂成形品である絶縁部材４０に一体に形成されている。また、支持部５０は、バスバーモジュール本体２８から拡がるように径方向の内側および外側へ一旦広がってから下方に、すなわち回転軸線方向に沿って垂下するように形成されている。以下において、支持部５０の傾斜した部分を傾斜部５２、回転軸線方向に垂下した部分を垂下部５４と記すことがある。
【００３２】
ただし、支持部５０は、バスバーモジュール本体２８をコイル導線１６と非接触に支持する機能を果たす限りにおいて、どのような形状であってもよい。例えば、支持部５０は、バスバーモジュール本体２８から回転軸線方向に沿って延出する垂下部５４だけで構成されてもよい。また、支持部５０が延出する位置は、バスバーモジュール本体２８の下側角部に限定されず、バスバーモジュール本体２８の側面２８ａ，２８ｂであってもよいし、或いは、バスバーモジュール本体２８の底面２８ｃであってもよい。さらに、支持部５０の周方向の幅は、後述するようにステータコア１２から回転軸線方向に突出するコイルエンド部におけるコイル導線間への挿入しやすさを考慮して適宜に設定され得る。
【００３３】
図６は、バスバー３６Ｕ，３６Ｖ，３６Ｗ，３６Ｎの個々の形状を示す図である。図６（ａ）は、上層、すなわち区画３８−１，３８−２が属する層を示し、図６（ｂ）は、下層、すなわち区画３８−３，３８−４が属する層を示している。個々のバスバー３６Ｕ，３６Ｖ，３６Ｗ，３６Ｎは板状部材を概略円弧形状にしたものであり、板面は、円弧が形成する平面内に位置している。そして、円弧の両端、または両端と中間位置にバスバー端延部３０が設けられている。Ｕ相のバスバー３６Ｕは、下層の左側の区画３８−３に配置される。Ｖ相のバスバー３６Ｖは、上層に配置され、端子３０Ｖ１から、左側の区画３８−１を横切り、右側の区画３８−２を通って、再び左側の区画３８−１を横切り端子３０Ｖ２に達する。Ｗ相のバスバー３６Ｗは、端子３０Ｗ１から、区画３８−１に沿って延び、端子３０Ｕ２の位置を過ぎた位置で、上層から下層に移り、区画３８−３を通って端子３０Ｗ２まで達している。中性点のバスバー３６は、下側、右側の区画３８-４を通って延びる。このように、４本のバスバー３６は、バスバーモジュール本体２８内で２本ずつ上下２層に重ねて、かつ左右に並列に配置されている。
【００３４】
図７は、コイル導線端延部２０とバスバー端延部３０の接続の様子とともにバスバーモジュール本体２８の支持状態を示す図である。簡略のために、バスバーモジュール本体２８内のバスバー３６は１本のみ示されている。また、図７では左側が径方向外側で右側が径方向内側を示しており（図８，１０においても同様）、符号１１はステータ１０の外周に焼嵌め等によって装着される筒状のケースである。
【００３５】
バスバーモジュール本体２８は、概略的に、長方形断面を有する円弧形状であり（図３参照）、図７は円弧の延びる方向に直交する断面を示している。図７に係る説明においても上、下の意味は、図４，５の場合と同様である。図７中下方にコイル群１８が位置する。より詳しくは、バスバーモジュール本体２８は、コイル群１８を構成することとなる複数の部分コイルにおいてステータコア１２から回転軸線方向に突出するコイルエンド部１９に対向して設けられている。
【００３６】
バスバー３６は、バスバーモジュール本体２８の側面から左向きに、または右向きに突出し、その後上方に向けて曲がる。この上方に向けて延びる部分がバスバー端延部３０である。また、図７における上下方向は、回転電機の回転軸線の延びる方向であり、よってバスバー端延部３０は、回転軸線方向に延びている。また、前記のように、図７においてバスバーモジュール本体２８の下方には、コイル群１８が配置されており、よって、バスバー端延部３０はコイル群１８から離れる方向に延びている。
【００３７】
バスバーモジュール本体２８の左右のバスバー３６は、それぞれ同一方向、すなわち回転軸線方向またはコイル群１８から離れる方向に延びる。この結果、バスバーモジュール２６は、その長手方向から見たときにＵ字形を呈する。
【００３８】
コイル導線端延部２０も、図７において上方、つまり回転軸線方向に延び、接続されるバスバー端延部３０に沿って隣接して配置される。コイル導線端延部２０は、バスバー端延部３０と同様、コイル群１８から離れる方向に延びている。また、コイル導線端延部２０は、例えばエナメル樹脂などの絶縁性樹脂材料からなる被膜４２がない素線部分４４が先端に設けられる。素線部分４４に対して被覆された部分を被覆部分４６と記す。
【００３９】
コイル導線端延部２０とバスバー端延部３０の先端同士が溶接されて接続される。図中、符号４８で示す溶接部は、コイル導線端延部２０およびバスバー端延部３０と境界をもって接しているように描かれているが、実際には、各部材が溶けて融合し、明確な境界は現れない。また、溶接部４８は、コイル導線端延部２０とバスバー端延部３０の先端同士を含む略球状を呈して形成されてもよい。
【００４０】
バスバーモジュール２６はＵ字形状を有し、このＵ字の両端において、コイル導線端延部２０に接続される。ここで、バスバーモジュール２６をコイル導線端延部２０に溶接する際、バスバーモジュール本体２８がコイルエンド部１９のコイル導線１６に接触して配置されると、バスバーモジュール本体２８が押し付けられることにより径方向に又は回転軸線方向に隣接して位置するコイル導線同士が動いて擦れ合うことがあり、コイル導線の被膜４２が損傷することが起こり得る。
【００４１】
そこで本実施形態では、バスバーモジュール本体２８に形成した支持部５０によってバスバーモジュール本体２８を、コイルエンド部１９を構成するコイル導線１６から浮かせた状態、すなわち非接触状態で支持している。より詳しくは、２つの支持部５０のうちの一方は、コイルエンド部１９において径方向で最も内側に位置するコイル導線１６ａとこれに隣接するコイル導線１６ｃとの間に挿入および把持され、その先端がステータコア１２の端面に当接している。他方の支持部５０は、コイルエンド部１９において径方向で最も外側に位置するコイル導線１６ｂとこれに隣接するコイル導線１６ｃとの間に挿入および把持され、その先端がステータコア１２の端面に当接している。これにより、コイルエンド部１９のコイル導線１６ａ，１６ｂ，１６ｃとバスバーモジュール本体２８の下面との間に寸法Ｇの隙間５６が形成されている。この寸法Ｇは、後述するようにコイルエンド部に渡り導線部が存在してもバスバーモジュール本体２８が渡り導線部と非接触になる程度に設定されるのが好ましい。
【００４２】
支持部５０の先端がステータコア１２の端面に当接することによって、回転軸線方向に関するバスバーモジュール本体２８の位置を正確に位置決めすることが可能になる。すなわち、隙間５６の寸法Ｇを正確に規定することができる。その結果、コイル導線端延部２０とバスバー端延部３０の各先端同士を溶接する際に、各先端を揃った高さ位置に配置することができる。
【００４３】
上記のようにバスバーモジュール本体２８が支持部５０によってコイルエンド部１９のコイル導線１６ａ，１６ｂ，１６ｃとの間に隙間５６を空けた状態で支持されているため、コイル導線端延部２０とバスバー端延部３０の端同士とを溶接するときにバスバーモジュール本体２８が押し付けられてもコイルエンド部１９のコイル導線１６ａ，１６ｂ，１６ｃと接触することがなく、その結果、コイル導線１６ａ，１６ｂ，１６ｃ同士が擦れ合ってコイル導線の被膜４２が損傷するのを防止できる。
【００４４】
また、冷却油等の冷却流体を用いてコイル群１８を冷却する場合、バスバーモジュール本体２８とコイルエンド部１９のコイル導線１６ａ，１６ｂ，１６ｃと間の隙間５６に通して冷却流体を流すことができるので、コイル導線１６ａ，１６ｂ，１６ｃひいてはコイル群１８に対する冷却性能の低下を抑制することができる。
【００４５】
ここで、支持部５０が挿入された両側のコイル導線１６ａ，１６ｃ（または１６ｂ，１６ｃ）は、異なる相のコイル群１８に属する部分コイルを構成するコイル導線であることが好ましい。この場合、大きな相間電位差が生じる異相部分コイルの導線間距離を大きくして絶縁性能を高められる利点がある。
【００４６】
図８は、バスバーモジュール２６と部分コイルの渡り導線部１７との間に隙間が形成されている様子を示す図である。本実施形態のステータ１０では、コイル群１８を構成する複数の部分コイルは、それぞれコイルエンド部１９において径方向内側に位置するコイル導線１６ａから延出して径方向外側へと渡る渡り導線部１７を有している。そして、渡り導線部１７の先端の素線部分４４が、径方向外側に位置するコイル導線１６ｂから延出するコイル導線端延部２０の素線部分４４に溶接される。なお、上記渡り導線部１７は、図２に示されるように径方向に沿って延伸する場合に限定されるものではなく、径方向に対して傾斜した方向に延伸していてもよい。
【００４７】
この場合にも、バスバーモジュール本体２８は、バスバーモジュール本体２８と渡り導線部１７との間に隙間５６が形成されるように支持部５０によって支持されている。したがって、上記と同様に、コイル導線の被膜の損傷を防止できるとともに、コイル群の冷却性能の低下を抑制することができる。
【００４８】
次に、図９および図１０を参照して、支持部をモジュールカバーに設けた例について説明する。図９は、モジュールカバー６０を示す斜視図である。図１０は、モジュールカバー６０に一体形成された支持部５０によってバスバーモジュール本体２８が支持された状態を示す図である。なお、図１０に示す構成は、モジュールカバー６０に支持部５０が一体形成されていること以外は図７と同様である。
【００４９】
図９および図１０に示すように、モジュールカバー６０は、バスバーモジュール２６に対応した略円弧状をなして形成されている。モジュールカバー６０は、バスバーモジュール２６の本体２８に装着される装着部６２と、装着部６２の上部に形成されたカバー部６４と、装着部６２の下部に一体に連設された支持部５０とを有する。モジュールカバー６０は、例えば絶縁性樹脂材料によって一体にモールド成形されるのが好ましい。
【００５０】
モジュールカバー６０の装着部６２は、略コ字状の断面を有し、バスバーモジュール本体２８に対して上方から嵌め込まれることによってバスバーモジュール２６に取り付けることができる。モジュールカバー６０のカバー部６４は、バスバーモジュール２６に取り付けられたとき、コイル導線端延部２０とバスバー端延部３０の端同士の溶接部４８を回転軸線方向の外側で覆う部分である。カバー部６４は、図９に示すように、周方向に所定間隔をおいて分かれた形状に形成されてもよいし、或いは、周方向に環状に連続する形状に形成されてもよい。
【００５１】
支持部５０は、モジュールカバー６０の装着部６２の下部から一体に延出して形成されている。支持部５０の機能および作用効果は、上述したのと同様である。この場合、バスバーモジュール本体２８に支持部を設ける必要はないことは勿論である。
【００５２】
なお、本発明は上記の実施形態およびその変形例に限定されるものではなく、特許請求の範囲に記載される事項の範囲内で種々の変更や改良が可能である。
【００５３】
例えば、上記においては支持部５０の先端をステータコア１２に当接することによりバスバーモジュール２６またはモジュールカバー６０の軸方向位置が決められると説明したが、これに限定されるものではなく、支持部５０の中間位置（例えば傾斜部５２と垂下部５４の境界部）に突出部を形成し、この突出部がコイル導線１６ａ，１６ｂ，１６ｃの表面に係合することによって支持部の挿入深さが規定されるようにしてもよい。
【００５４】
また、モジュールカバーは、嵌め込みによってバスバーモジュールに取り付けられるものに限定されず、接着、ねじ留め等の方法を単独で又は組み合わせて用いて取り付けられてもよい。
【符号の説明】
【００５５】
１０  ステータ、１２  ステータコア、１６  コイル導線、１７  渡り導線部、１８  コイル群、１９  コイルエンド部、２０  コイル導線端延部、２６  バスバーモジュール、２８  バスバーモジュール本体、３０  バスバー端延部、３６  バスバー、４２  被覆、４８  溶接部、５０  支持部、６０  モジュールカバー。
【図１】
0005891807.tif 000002
【図２】
0005891807.tif 000003
【図３】
0005891807.tif 000004
【図４】
0005891807.tif 000005
【図５】
0005891807.tif 000006
【図６】
0005891807.tif 000007
【図７】
0005891807.tif 000008
【図８】
0005891807.tif 000009
【図９】
0005891807.tif 000010
【図１０】
0005891807.tif 000011